(57)【要約】      （修正有）【課題】クロスドライバ−軸にビス保持具を取り付けビスの捻じ込みが完了する直前に、ビス把持の爪が開放し把持体が後退して取り付け壁を傷つけないようにする。【解決手段】軸の円周の溝と先端に軸より外径が大きいテ−パとクロスビットを形成したドライバ−軸と、ドライバ−軸の外周を覆う一端が基部から延設されビスを把持する爪と、爪との間に交互に突設しテ−パに当接する反力先端と、他端が溝に係合する突起と、突起との間に交互に突設しドライバ−軸方向に移動自在な可撓性チャックと、可撓性チャックの外周を覆う内面が爪を当接する内面と、押付面と、チャック押さえと、突起押部を形成するホルダとを設ける。【選択図】図２
0003133152.tif 000002
【実用新案登録請求の範囲】
【請求項１】
軸の円周に溝と先端に外径が大きいテ−パとクロスビットを形成したドライバ−軸と、該ドライバ−軸の外周を覆う一端がチャック本体の基部から延設され先端が外側に拡開自在にビスを把持する複数の爪を設け該爪との間に交互に突設し前記テ−パに当接する複数の反力先端と他端が前記溝に係合する複数の突起と該突起との間に交互に突設した複数のストッパを形成し前記ドライバ−軸方向に移動自在な可撓性チャックと、該可撓性チャックの外周を覆い壁面に当接させる先端面と内面に前記爪を当接させる内面と該爪の中央部に当接させる押付面と該爪の基部に当接させるチャック押さえと前記突起を前記溝に係合させる突起押部と該突起の係脱を阻止するスライド面とストッパを当接させる後端面を形成するホルダとを設けたことを特徴とするドライバ−のビス保持具。
【考案の詳細な説明】
【技術の分野】
【０００１】本考案はクロスドライバ−用ビス保持具に関する。
【技術の背景】
従来の技術では、クロスドライバ−でビスの着脱する時のビス落下防止に多種のビス保持具が考えられている、ビットの先端を磁化してビスを吸着するもの、ビットの先端を柔軟性のあるゴム管で被覆してビス頭を抱え込むもの、トライバ−軸の把持体に爪を設けスライドしビス頭を挟み込むものが考えられている。
【０００２】  これ等のものはある種の条件に適合するが、他の条件に不都合な場合が多く多種の条件要求を満たすものがなかった。
【０００３】  ビット先端を磁化してビスを保持する方法では磁石の吸着が弱く、吸着しない金属ビスは保持できず不具合が生じていた。
【０００４】  又、ビットの先端を柔軟性のあるゴム管で被覆してビスの頭部に挿入する方法はビスをビットに装着する作業に時間を要し連続で多数のビス着脱作業には不向きである。
【０００５】  そして、把持体方式は一時的に不要になった場合、把持体装置の爪や金具の凹凸が作業の妨げとなり、ビス締め付けの完了直前に爪が取り付け壁を擦り付け建築の内装材や、各種事務機、家電製品等の完成品のビス締め付けとしては傷が付き不都合で、これら夫々の欠点があり単一作業を除き、多種の作業には不向きで普及に至っていなかった。
【特許文献１】  実開平０５−００５３６６
【特許文献２】  実開平０５−０３９８６８
【考案の開示】
【考案が解決しようとする課題】
【０００６】  ビスを確実に装着把持し捻じ込み途中で負荷が加わっても、クロスビットが浮き上がりビス溝の突起を削り傷めることなく、ビスの捻じ込みが完了する直前にビス把持の爪が開放し把持体が後退して取り付け壁を傷つけず、一時的に不要になったときはドライバ−軸の把手側の手元に移動でき作業の妨げにならず、構造が簡単で安価な汎用のドライバ−用ビス保持具を提供することで課題を解決しようとする。
【問題を解決するための手段】
【０００７】  軸の円周に溝と先端に外径が大きいテ−パとクロスビットを形成したドライバ−軸と、該ドライバ−軸の外周を覆う一端がチャック本体の基部から延設され先端が外側に拡開自在にビスを把持する複数の爪を設け該爪との間に交互に突設し前記テ−パに当接する複数の反力先端と他端が前記溝に係合する複数の突起と該突起との間に交互に突設した複数のストッパを形成し前記ドライバ−軸方向に移動自在な可撓性チャックと、該可撓性チャックの外周を覆い壁面に当接させる先端面と内面に前記爪を当接させる内面と該爪の中央部に当接させる押付面と該爪の基部に当接させるチャック押さえと前記突起を前記溝に係合させる突起押部と該突起の係脱を阻止するスライド面とストッパを当接させる後端面を形成するホルダとを設けて問題を解決している。
【考案の効果】
【０００８】  ホルダの後退が無ければビスの挟持作用が開放されず、捻じ込み途中で負荷が加わってもクロスビットが浮き上がりビス溝の突起を削り傷めることがなく、ビスが取り付け壁に当接する直前にチャックの爪を開放し、ビス保持具全体が後退する構造なので動力駆動ドライバ−では作業を中断してチャック爪の開放操作をする必要がなく極めて能率が良い。
【０００９】  また狭所の捻じ込み作業で壁面に当接する直前に作業を中断してチャックの爪を操作して開放する必要がないので、爪が壁面を擦り傷付けて支障のある建材の内装材や、各種事務機、家電製品等の完成品の組み立て使用に最適である。
【００１０】  構造が簡単小型でビス保持具の外周に突起がなく、一時不用のときクロスビット先端側からドライバ−軸の手元に移動自在なので作業性が良い。
【考案を実施するための最良の形態】
【００１１】  六角軸（本考案はドライバ−軸を六角軸とし右後端の把手部、動力駆動部は図示せず）からなるドライバ−軸に溝と左先端に該ドライバ−軸より外径が大きいテーパを形成したクロスビットを設ける。該ドライバ−軸の外周を覆うチャック本体（本考案はバネ鋼板を使用する）の、左先端が外周上に基部から突設されビスを把持する３個の爪が中央部とチャックを押さえる該基部とを形成し、該爪と該爪との間に前記テーパに押圧して反力を得る３個の反力先端を交互に形成する。そしてチャック本体の右後端の外周上に該チャック本体から突設され該チャックの位置を決め、前後進を固定する３個の突起と該突起との間にホルダの移動を制限する３個のストッパを交互に突設して前記ドライバ軸方向に移動自在に挿入している。前記チャック本体の外周を覆うホルダに壁面に当接する先端面と内側に非作用時に前記爪の開張を抑制する環状の内面と該爪がビスを把持するとき前記中央部に当接する環状の押付面と、該ホルダの前進を制限する前記基部に当接する環状のチャック押さえと、前記チャックの位置決めをして前後進を固定し前記突起を前記溝に係合させる環状の突起押部と、突起の係脱を阻止する環状のスライド面と後端に後退を制限する１面の後端面を有する前記ホルダを設ける。該ホルダを前後に移動することで前記チャック先端の爪を開閉しビスを把持し、先端が壁面に当接すればビスの把持を開放しビス保持具が反力先端の反力で後退するようにする。
【実施例】
【００１２】  以下、添付図面に従って実施例を説明する、図１は本考案の実施例でクロスビット３を除く切断面を表し、六角軸３ｃに溝３ｂと左先端が該六角軸３ｃより外径が大きいテ−パ３ａを有する前記クロスビット３を設けている。該六角軸３ｃの外周を覆うチャック本体２の左先端が３箇の爪２ａに中央部２ｂと基部２ｃを有し、３箇の反力先端２ｆが円周上交互に突設され該爪２ａは外側に拡張付勢している、右後端は前記チャック本体２から突設され３箇の突起２ｇと３箇のストッパ２ｅが円周上交互に設けられている。そしてチャック本体２の外周を覆うホルダ１に一面の先端面１ａと、内面に環状の内面１ｄと、環状の押付面１ｂと、環状のチャック押さえ１ｃと、環状の突起押部１ｅと、環状のスライド受け１ｇと、一面の後端面１ｆが設けられている。【００１３】  図２でビス４を把持するときはチャック本体２の外周を覆うビス保持具の該ホルダ１をドライバ−軸の六角軸３ｃに沿ってクロスビット３の先端側へ移動すると、突起押部１ｅで突起２ｇを押し前記チャック本体２の全体をクロスビット３の先端側へ押し、反力先端２ｆはテ−パ３ａを乗り上げる、該突起２ｇは内側へ付勢しているため付勢力で溝３ｂに係合し前記突起押部１ｅから係脱し、スライド面１ｇで該突起２ｇが浮き上がる作用を防止すると共に前記反力先端２ｆの前記ホルダ１への反力作用が抑制される、なお、該ホルダ１を前進し押付面１ｂで爪２ａの中央部２ｂを押し付けて撓ませ、このときビス４を把持し、なお前進するとチャック押さえ１ｃが基部２ｃに当接しホルダ１の前進を制限する、この状態でホルダ１は戻らず爪２ａで確実にビス４を把持し壁面５に捻じ込む。【００１４】  ビス４を壁面５に捻じ込む完了直前でホルダ１の先端面１ａと壁面５が当接し、捻じ込みが進行すると相対的に該先端面１ａが後退する作用で中央部２ｂから押付面１ｂが離れ、爪２ａは前記ビス４の把持を開放すると同時にスライド受け１ｇから突起２ｇの係脱を開放し、反力先端２ｆはテ−パ３ａを反力作用で滑り、スライド面から開放した突起２ｇは溝３ｂから浮き上がり突起押部１ｅを押し返すことで、ホルダ１とチャック本体２のビス保持具を壁面５から後退させる、このため爪２ａで壁面５を傷付けることがない、そして一時ビス保持具が不用の時はこのまま把手側に引き寄せることができる。【００１５】  図３はチャック本体２を軸方向に切断し展開した図で、展開前の左側面図Ａと、展開図Ｂと、展開前の右側面図Ｃで爪２ａ、反力先端２ｆ、突起２ｇ、ストッパ２ｅを表し矢印方向に巻くと六角形の筒状になり本考案の実施例で示すものである。【００１６】  図４はチャック本体２を軸方向に切断し展開した図で、展開前の左側面図Ａと、展開図Ｂと、展開前の右側面図Ｃで爪２ａ、反力先端２ｆ、突起２ｇ、ストッパ２ｅを表し展開図Ｂを矢印方向に巻くと四角形の筒状になる、本考案では採用していない。【００１７】  図５はチャック本体２を軸方向に切断し展開した図で、展開前の左側面図Ａと、展開図Ｂと、展開前の右側面図Ｃで爪２ａ、反力先端２ｆ、突起２ｇ、ストッパ２ｅを表し展開図Ｂを矢印方向に巻くと円形の筒状になる、本考案では採用していない。【００１８】  ホルダ１を磁化すれば、よ���ビス頭を把持するのが容易になる。【００１９】  ドライバ−軸の断面とチャック本体２は上記のほかに各多角形や円形の製作が可能であるが本考案の実施例は動力駆動ドライバに最適に装着できる六角軸としている。【００２０】  １ホルダの先端１ａをウレタンゴム製にすれば軟質製建材でも傷を付けることがない。
【産業上の利用可能性】
【００２１】  本考案に関わるドライバ−用ビス保持具は工業製品として量産することが可能なため産業上の利用可能性を有する。
【図面の簡単な説明】
【００２２】
【図１】本考案はクロスビットを除くホルダとチャック本体の断面図
【図２】本考案はクロスビットを除くホルダとチャック本体の断面作用図
【図３】本考案の実施例で採用しているチャック本体の展開図
【図４】本考案で製作可能なチャック本体の四角形展開図
【図５】本考案で製作可能なチャック本体の円形展開図
【符号の説明】
【００２３】    １・・・・ホルダ
１ａ・・・先端面
２・・・・チャック本体
２ａ・・・爪
２ｅ・・・ストッパ
２ｆ・・・反力先端
２ｇ・・・突起
３・・・・クロスビット
３ａ・・・テ−パ
３ｂ・・・溝
４・・・・ビス
５・・・・壁面
【図１】
0003133152.tif 000003
【図２】
0003133152.tif 000004
【図３】
0003133152.tif 000005
【図４】
0003133152.tif 000006
【図５】
0003133152.tif 000007